(57)【要約】【課題】化粧パネルのルーバーのイニシャル位置決めが確実に行える安価な空気調和機の提供。【解決手段】室内ユニット本体に取付けられる化粧パネルにおいて、吹出し口に配置されているルーバー６の端部に、モーター７を固定するためのルーバーシャフト９を配置し、ルーバーシャフト９上にルーバーのイニシャル位置決め用のストッパーを設け、モーター取付け板上にストッパー係止部を設けることにより、シャフトカバー等の部品が不要となり、安価でかつシャフトのねじれによるルーバー角度の不整合が起こることがない空気調和機の提供が可能となる。【選択図】図５
2009257621.tif 000002
【特許請求の範囲】
【請求項１】
室内ユニット本体に取付けられる化粧パネル内に、風向を変更するためのルーバーと前記ルーバーを駆動するモーターと前記モーターを取付けるためのモーター取付け板を備えた空気調和機であって、前記ルーバーを前記モーターに取り付け、かつ、前記ルーバーとモーターとの取り付け部に当該ルーバーのイニシャル位置決め用ストッパーと前記ストッパーに当接してルーバーのイニシャル位置を決めるストッパー係止部を設けたことを特徴とする空気調和機。
【請求項２】
ルーバーシャフトとモーター取付け板のいずれか一方にストッパーを、他方にストッパー係止部を設けた請求項１に記載の空気調和機。
【請求項３】
ルーバーシャフトの両端２カ所にストッパーを設けた請求項１に記載の空気調和機。
【請求項４】
ストッパーはルーバーシャフトの径方向に対して１８０度対象の位置に設けた請求項３に記載の空気調和機。
【発明の詳細な説明】
【技術分野】
【０００１】
本発明は化粧パネルに風向変更用のルーバーを設けた空気調和機に関し、特に化粧パネルのコスト低減およびルーバー動作の性能向上を可能とした空気調和機に関するものである。
【背景技術】
【０００２】
従来、この種の空気調和機は化粧パネルの吹出し口に風向変更用のルーバーが複数取付けてあり、そのルーバーは複数個のモーターにて駆動させるような構造になっている（例えば、特許文献１参照）。
【０００３】
図１１は、特許文献１に記載された従来の空気調和機の状態を示す側面図を示すものである。また、図１２は同空気調和機の化粧パネル裏面図、図１３は同空気調和機のルーバー先端の詳細図、図１４は従来の他の空気調和機の化粧パネル裏面図、図１５は同空気調和機のシャフト断面図を示すものである。
【０００４】
図１１〜図１３に示すように、この空気調和機は、室内ユニット本体１が天井面２の内部に設置され、天井面２に沿うように化粧パネル３が設置される。化粧パネル本体４の吹出し口５に風向を変更させるためのルーバー６が設置されており、ルーバー６はこれを駆動させるためのモーター７の軸に取付けられている。なお、モーター７はモーター取付け板８を介して化粧パネル本体４に固定されている。
【０００５】
図１２および図１３に示すように、ルーバー６の反モーター側にあるルーバーシャフト９にはシャフトカバー１０が取付けられており、シャフトカバーの一部にルーバー６のイニシャル位置決め用のストッパー１１が形成されている。ここで、イニシャル位置決めとは動作時に生じるルーバー位置のずれをリセットするための定められた初期位置を指し、以下そのように用いることとする。
【０００６】
また、このような化粧パネルの吹出し口にルーバーを設けた空気調和機の中には、図１４に示すように、モーター７を１つでルーバー６を２個動かすものが見られる。このタイプの空気調和機はモーター７ａに取付けられたルーバー６ａの反モーター側にユニバーサルジョイント１２ａを介して連結シャフト１３が取付けられており、連結シャフト１３に伝えられた回転がユニバーサルジョイント１２ｂを介してルーバー６ｃに伝わり、ルーバー６ｃも動作するようになっている。そしてこの場合は、前記ルーバー６ａおよびルーバー６ｃのイニシャル位置決め用のストッパー１１が連結シャフト１３に形成されている。
【特許文献１】特開２００７−９３０４１号公報
【発明の開示】
【発明が解決しようとする課題】
【０００７】
しかしながら、前記前者の構成では、イニシャル位置決め用のストッパー１１を構成するためにはルーバー６に取付けられているルーバーシャフト９にシャフトカバーを取付けなければならず、コストが高くなるという課題があった。さらに、ルーバー６をイニシャル位置に戻した時に反モーター側はストッパー１１で止まっているが、モーター側はモーター７に回転トルクがかかっているためルーバーがねじれてしまうという課題も有していた。
【０００８】
また、後者の連結シャフト１３にストッパー１１が形成されているものに関しては、連結シャフト１３にストッパー１１がついているため、ルーバー６をイニシャル位置に戻し
た時、モーターに近い側のルーバー６ａではルーバーのねじれと連結シャフトのねじれが加算された分だけモーターに遠い側のルーバー６ｃとの角度差がついてしまい、ルーバーイニシャル位置に大きく差がでてしまうという課題を有していた。
【０００９】
本発明は、前記従来の課題を解決するもので、シャフトカバー等の部品を用いることなく、安価でルーバーやシャフトのねじれによるルーバー角度の不整合が起こることがない空気調和機を提供することを目的とする。
【課題を解決するための手段】
【００１０】
前記従来の課題を解決するために、本発明の空気調和機は、ルーバーをモーターに取り付け、かつ、前記ルーバーとモーターとの取り付け部に当該ルーバーのイニシャル位置決め用ストッパーと前記ストッパーに当接してルーバーのイニシャル位置を決めるストッパー係止部を設けた構成としてある。
【００１１】
これによって、ストッパーを備えたシャフトカバー等の部品を用いることなく、安価でかつルーバーやシャフトのねじれによるルーバー角度の不整合が起こることがない化粧パネルの生産が可能となる。
【発明の効果】
【００１２】
本発明の空気調和機は、コストダウンが図れ、振り角度の不整合が起こることを防止することができる。
【発明を実施するための最良の形態】
【００１３】
第１の発明は、室内ユニット本体に取付けられる化粧パネル内に、風向を変更するためのルーバーと前記ルーバーを駆動するモーターと前記モーターを取付けるためのモーター取付け板を備えた空気調和機であって、前記ルーバーを前記モーターに取り付け、かつ、前記ルーバーとモーターの取り付け部に当該ルーバーのイニシャル位置決め用ストッパーと前記ストッパーに当接してルーバーのイニシャル位置を決めるストッパー係止部を設けたものである。
【００１４】
これにより、ルーバーとモーターとの取り付けに当たってシャフトカバーを取付ける必要がなく、その分コストの低減が図れる。また、ルーバーをイニシャル位置に戻した時に当該モーターの回転トルクがかかろうとするルーバーのモーター固定側はストッパーによってその回転トルクの影響が排除され、ルーバーのねじれが防止される。よって、ルーバーやシャフトのねじれによるルーバー角度の不整合が起こることがなくなる。
【００１５】
第２の発明は、特に第１の発明の空気調和機において、ルーバーシャフトとモーター取付け板のいずれか一方にストッパーを、他方にストッパー係止部を設けたものである。
【００１６】
これによって、新たな部品を追加することなくルーバーシャフトとモーター取付け板を利用してモーター回転トルクの影響を排除することができ、しかもモーター取り付け板はルーバーシャフトを取り付けるモーターを固定しているものであるから、このルーバーシャフトとの位置ずれ等を最小限に抑えることができて、ストッパー係止部を別部品に取り付けるような場合に比べその寸法精度を高め、ルーバー動作品質の高い物とすることができる。
【００１７】
第３の発明は、特に、第１の発明の空気調和機において、ルーバーシャフトの両端２カ所にストッパーを設けることにより、全てのルーバーが共用化できるので、より安価でかつシャフトのねじれによるルーバー角度の不整合が起こることがない化粧パネルの生産が可能となる。
【００１８】
第４の発明は、特に第３の発明の空気調和機において、ルーバーシャフト軸両端に軸の径方向に対して１８０度対象位置の２ヶ所にストッパーを設けることにより、ルーバーおよびモーター取付け板を共用化することができるので安価でかつシャフトのねじれによるルーバー角度の不整合が起こることがない化粧パネルの生産が可能となる。
【００１９】
以下、本発明の実施の形態について、図面を参照しながら説明する。なお、この実施の形態によって本発明が限定されるものではない。
【００２０】
（実施の形態１）
図１は本発明の第１の実施の形態における空気調和機の設置状態を示す側面図、図２は同化粧パネルの表面図、図３は同化粧パネルの裏面図、図４は同モーター取付け状態を示す図、図５は同モーター取付け部を示す詳細図、図６は同ルーバー側面図、図７は同ルーバーシャフトの断面図である。
【００２１】
図１および図２において、１は略四角箱状の室内ユニット本体で、天井面２の内部に設置され、天井面２に沿うように化粧パネル３が設置される。化粧パネル本体４はその四辺に吹出し口５が設けてあり、その吹出し口５にはそれぞれ風向を変更させるためのルーバー６が設置されている。また図３、図４、図５、図６および図７において、７はルーバー６を駆動させるためのモーターで、そのモーターシャフト１４にルーバー６が直接取付けられており、モーター取付け板８を介して化粧パネル本体４に固定されている。上記ルーバー６とモーター７の固定はルーバー６とモーター７の間にモーター取付け板８を入れて、ルーバーシャフト９に開けられている穴にモーターシャフト１４を圧入することによって行われており、従来用いられていたシャフトカバーは廃止してある。加えてルーバーシャフト９のモーター固定側にはストッパー１１が設けられており、さらに前記モーター取付け板８の前記ストッパー１１が接触する位置にはストッパー係止部１５が設けられている。
【００２２】
以上のように構成された空気調和機について、以下その動作、作用を説明する。
【００２３】
モーター７に通電されると、モーターシャフト１４が回転し、それが直接ルーバーシャフト９を介してルーバー６に伝達されてルーバー６が回転する。よって従来のようなシャフトカバーがない分簡単な構成でモーター７の回転をルーバー６に伝えることができる。
【００２４】
一方、ルーバー６のイニシャル時は所定の巻戻し回転数よりも多くモーターシャフト１４を回転させる。その際、図７の矢印の方向にルーバー６が回転するが、ストッパー１１がストッパー係止部１５と接触するため、その位置以上にいくらモーターシャフト１４を回転させても、ルーバーシャフト９が回転しないため、ルーバー６は規定位置以上に動かないことになる。この位置規制はモーター７とルーバーと６の取り付け部で行っているので、ルーバー６やルーバーシャフト９は過剰回転による影響を受けず、ねじれが発生しない。従って、設定したルーバー６のイニシャル位置からずれることが防止できる。
【００２５】
以上のように、本実施の形態においては室内ユニット本体に取付けられる化粧パネル内に、風向を変更するためのルーバーとルーバーに直接取付けられるモーターとモーターを取付けるためのモーター取付け板を備えており、ルーバーとモーターとの取り付け部のモーター固定側にルーバーのイニシャル位置決め用のストッパーおよびストッパー係止部を設けたものである。
【００２６】
これによって、シャフトカバー等の別部品を廃止しつつルーバーやシャフトのねじれによるルーバー角度の不整合が起こることがない化粧パネルの生産が可能となる。
【００２７】
なお本実施の形態では、ルーバーシャフト側にストッパーを、モーター取付け板側にストッパー係止部を設けた場合について説明したが、逆の場合であっても良い。
【００２８】
（実施の形態２）
図８は、本発明の第２の実施の形態の空気調和機のルーバー側面図、図９は同モーター取付け部を示す図である。
【００２９】
図８および図９において、この実施の形態ではルーバー６の両端にルーバーシャフト９が設けられており、ルーバーシャフト９上にストッパー１１が形成されている。
【００３０】
モーター７を２個使用でルーバー６を４つ動かす場合、モーター７は図９の配置が一般的である。この時、ルーバーのモーター固定軸両端の２カ所にストッパーを設けることにより、モーター取り付け位置がルーバーの左右どちら側であっても良く、ルーバーを共用できるため、安価でかつシャフトのねじれによるルーバー角度の不整合が起こることがない化粧パネルの生産が可能となる。
【００３１】
（実施の形態３）
図１０は、本発明の第３の実施の形態の空気調和機のルーバーシャフトの断面図である。この実施の形態ではストッパー１１の位置は右側と左側で１８０度対称の位置に形成されている。
【００３２】
モーター７を２個使用でルーバー６を４つ動かす場合であって、ルーバー６ａとルーバー６ｂを同じ方向で動かす場合、モーター７ａおよびモーター７ｂは逆方向に回転する必要がある。ルーバー６の両端に１８０対称の位置にストッパー１１を形成することにより、モーター取り付け板８を共用化できる。また、図１０に示すようにモーター取付け板８上に形成されているストッパー係止部１５を半円形状にすることにより、矢印のどちらの方向に回転してもストッパー１１がストッパー係止部１５で停止させることができる。
【００３３】
以上のように、本実施の形態においてはルーバーのモーター固定軸左右２カ所の１８０度対称の位置にストッパーを設けることにより、ルーバーおよびモーター取付け板が共用化できるので安価でかつシャフトのねじれによるルーバー角度の不整合が起こることがない空気調和機の生産が可能となる。
【００３４】
なお、上記各実施の形態の説明では、ルーバーシャフト側にストッパーを、モーター取付け板側にストッパー係止部を設けた場合について説明したが、逆の場合であっても良い。また、ストッパー／係止部をルーバーの回転軸上またはモーター取付け板に設けた例で説明したが、モーター取付け板の代わりに別の板を近傍に設置し、その上に設けても良い。
【産業上の利用可能性】
【００３５】
以上のように、本発明にかかる空気調和機は、シャフトカバー等の部品を用いることなく、安価でかつルーバーやシャフトのねじれによるルーバー角度の不整合が起こることがない空気調和機の提供が可能となるので、モーターを利用して回転させるルーバーを備えた各種機器に適用することができる。
【図面の簡単な説明】
【００３６】
【図１】本発明の実施の形態１における空気調和機の設置の状態を示す側面図
【図２】同空気調和機の化粧パネル表面を示す表面図
【図３】同空気調和機の化粧パネル裏面図
【図４】同空気調和機のモーター取付け状態を示す図
【図５】同空気調和機のモーター取付け部を示す詳細図
【図６】同空気調和機のルーバー側面図
【図７】同空気調和機のルーバーシャフトの断面図
【図８】本発明の実施の形態２における空気調和機のルーバー側面図
【図９】同空気調和機のモーター取付け部を示す図
【図１０】（ａ）本発明の実施の形態３における空気調和機のルーバーシャフトが左廻方向側で係止した状態を示す断面図（ｂ）同右廻方向側で係止した状態を示す断面図
【図１１】従来の空気調和機の状態を示す側面図
【図１２】同空気調和機の化粧パネル裏面図
【図１３】同空気調和機のルーバー先端の詳細図
【図１４】同空気調和機の化粧パネル裏面図
【図１５】同空気調和機のシャフト断面図
【符号の説明】
【００３７】
１  室内ユニット本体
２  天井面
３  化粧パネル
４  化粧パネル本体
５  吹出し口
６  ルーバー
６ａ  ルーバー
６ｂ  ルーバー
６ｃ  ルーバー
７  モーター
７ａ  モーター
７ｂ  モーター
８  モーター取付け板
９  ルーバーシャフト
１０  シャフトカバー
１１  ストッパー
１２ａ  ユニバーサルジョイント
１２ｂ  ユニバーサルジョイント
１３  連結シャフト
１４  モーターシャフト
１５  ストッパー係止部
【図１】
2009257621.tif 000003
【図２】
2009257621.tif 000004
【図３】
2009257621.tif 000005
【図４】
2009257621.tif 000006
【図５】
2009257621.tif 000007
【図６】
2009257621.tif 000008
【図７】
2009257621.tif 000009
【図８】
2009257621.tif 000010
【図９】
2009257621.tif 000011
【図１０】
2009257621.tif 000012
【図１１】
2009257621.tif 000013
【図１２】
2009257621.tif 000014
【図１３】
2009257621.tif 000015
【図１４】
2009257621.tif 000016
【図１５】
2009257621.tif 000017